(57)【要約】【課題】耐薬品性及び密封性に優れる薬液容器用栓体を提供すること。【解決手段】本発明は、薬液が収容された薬液容器３を封止するための薬液容器用栓体１０であって、平板状の基部１と、該基部の中央に設けられた円筒状の嵌合部２と、からなり、嵌合部２が薬液容器３の口部３ａに嵌合可能となっており、基部１及び嵌合部２が熱可塑性エラストマーからなっている薬液容器用栓体１０である。【選択図】図１
2012065830.tif 000002
【特許請求の範囲】
【請求項１】
薬液が収容された薬液容器を封止するための薬液容器用栓体であって、
平板状の基部と、該基部の中央に設けられた円筒状の嵌合部と、からなり、
前記嵌合部が前記薬液容器の口部に嵌合可能となっており、
前記基部及び前記嵌合部が熱可塑性エラストマーからなっている薬液容器用栓体。
【請求項２】
前記基部及び前記嵌合部が一体となるように射出成形で製造されたものである請求項１記載の薬液容器用栓体。
【請求項３】
前記嵌合部との接続部分よりも内側に位置する前記基部の厚みが、前記嵌合部との接続部分よりも外側に位置する前記基部の厚みよりも小さくなっている請求項１又は２に記載の薬液容器用栓体。
【請求項４】
２３℃における圧縮永久歪率が３０％以下であり、７０℃における圧縮永久歪率が５０％以下である請求項１〜３のいずれか一項に記載の薬液容器用栓体。
【請求項５】
デュロ硬度Ａが３５〜８０である請求項１〜４のいずれか一項に記載の薬液容器用栓体。
【請求項６】
前記熱可塑性エラストマーがスチレン系エラストマーであり、密度が０．８１〜０．９０ｇ／ｃｍ３、融点が１３５〜２００℃である請求項１〜５のいずれか一項に記載の薬液容器用栓体。
【発明の詳細な説明】
【技術分野】
【０００１】
本発明は、薬液容器用栓体に関し、更に詳しくは、耐薬品性及び密封性に優れる薬液容器用栓体に関する。
【背景技術】
【０００２】
薬液を容れる薬液容器として、バイアル瓶等がある。かかるバイアル瓶においては、口部にゴム栓をすることにより、薬液が密封される。
【０００３】
ところで、薬液には揮発性が高いものや酸素により酸化しやすいもの等がある。このため、薬液容器とゴム栓との密封性は極めて重要となっている。
【０００４】
このような、薬液容器の密封性については、様々な検討がなされており、例えば、薬液容器の開口部の上縁面に係止するフランジ付きの天面及び該天面下面に突出し該開口部内に嵌挿される基部を有する封止栓体が知られている（例えば、特許文献１参照）。
また、略円筒状の栓脚の下端から天板側に向かう切り欠き及び該栓脚外周面に突起を有する栓体、及び有底逆円筒状の合成樹脂製キャップからなる医薬品容器・医療用器具のキャップ付き栓体（例えば、特許文献２参照）が知られている。
【先行技術文献】
【特許文献】
【０００５】
【特許文献１】特開平１０−１７９６８８号公報
【特許文献２】特開平１１−１６４８７３号公報
【発明の概要】
【発明が解決しようとする課題】
【０００６】
しかしながら、上記特許文献１及び２に記載の栓体は、いずれもイソプレンゴム系であるので、成形時に硬化剤等の添加剤を要する。このため、栓体自体に薬液が付着すると、薬液内に添加剤が溶出する場合があり、また、経時的に硬化して罅割れ等が生じ、その結果、密封性が不十分となる傾向にある。
【０００７】
本発明は上記事情に鑑みてなされたものであり、耐薬品性及び密封性に優れる薬液容器用栓体を提供することを目的とする。
【課題を解決するための手段】
【０００８】
本発明者らは、上記課題を解決するため鋭意検討したところ、薬液容器用栓体を、薬液容器の口部に嵌合させると共に蓋をするタイプとし、且つ薬液容器用栓体を熱可塑性エラストマーからなるものとすることにより、上記課題を解決し得ることを見出し、本発明を完成するに至った。
【０００９】
すなわち、本発明は、（１）薬液が収容された薬液容器を封止するための薬液容器用栓体であって、平板状の基部と、該基部の中央に設けられた円筒状の嵌合部と、からなり、嵌合部が薬液容器の口部に嵌合可能となっており、基部及び嵌合部が熱可塑性エラストマーからなっている薬液容器用栓体に存する。
【００１０】
本発明は、（２）基部及び嵌合部が一体となるように射出成形で製造されたものである上記（１）記載の薬液容器用栓体に存する。
【００１１】
本発明は、（３）嵌合部との接続部分よりも内側に位置する基部の厚みが、嵌合部との接続部分よりも外側に位置する基部の厚みよりも小さくなっている上記（１）又は（２）に記載の薬液容器用栓体に存する。
【００１２】
本発明は、（４）２３℃における圧縮永久歪率が３０％以下であり、７０℃における圧縮永久歪率が５０％以下である上記（１）〜（３）のいずれか一つに記載の薬液容器用栓体に存する。
【００１３】
本発明は、（５）デュロ硬度Ａが３５〜８０である上記（１）〜（４）のいずれか一つに記載の薬液容器用栓体に存する。
【００１４】
本発明は、（６）熱可塑性エラストマーがスチレン系エラストマーであり、密度が０．８１〜０．９０ｇ／ｃｍ３、融点が１３５〜２００℃である上記（１）〜（５）のいずれか一つに記載の薬液容器用栓体に存する。
【発明の効果】
【００１５】
本発明の薬液容器用栓体においては、基部と嵌合部とからなるので、嵌合部が薬液容器の口部に嵌合されると同時に、基部が口部を上方から覆うことにより、薬液容器を確実に封止することができる。
また、基部及び嵌合部をイソプレンゴム系ではなく、添加剤が不要な熱可塑性エラストマーからなるものとすることにより、耐薬品性が向上し、経時的に硬化することを防止できる。なお、熱可塑性エラストマーは、融点が１３５〜２００℃であるスチレン系エラストマーが好適である。
したがって、上記薬液容器用栓体によれば、耐薬品性及び密封性に優れる。
【００１６】
ここで、基部及び嵌合部は、一体となるように射出成形で製造されたものであることが好ましい。この場合、簡単に大量生産が可能となるので、低コスト化が図れる。
【００１７】
本発明の薬液容器用栓体においては、嵌合部との接続部分よりも内側に位置する基部の厚みが、嵌合部との接続部分よりも外側に位置する基部の厚みよりも小さくなっている場合、嵌合部との接続部分よりも内側に位置する基部に、注射針等を刺して貫通させ、その注射針を介して薬液を取り出すことが容易となる。すなわち、薬液容器を密封させたまま、薬液容器内の薬液を取り出すことができる。
【００１８】
本発明の薬液容器用栓体においては、２３℃における圧縮永久歪率が３０％以下であり、７０℃における圧縮永久歪率が５０％以下である場合、オートクレープ等による加熱滅菌の前後において十分な復元力を発揮するので、薬液容器を確実に密封することができる。
また、注射針を抜き取った後、注射針を刺した部分からの薬液容器内の薬液の漏れ出しを防止することができる。
【００１９】
本発明の薬液容器用栓体においては、デュロ硬度Ａが３５〜８０であり、密度が０．８１〜０．９０ｇ／ｃｍ３である場合、注射針等の突き刺しによって栓体が削り取られる所謂コアリングの発生を防止することができる。
また、注射針を抜き取った後、注射針を刺した部分からの薬液容器内の薬液の漏れ出しを確実に防止することができる。
【図面の簡単な説明】
【００２０】
【図１】図１の（ａ）は、本実施形態に係る薬液容器用栓体の一実施形態を示す側面図であり、（ｂ）は、その下面図である。
【図２】図２は、本実施形態に係る薬液容器用栓体を薬液容器に嵌合させた状態を示す断面図である。
【図３】図３は、本実施形態に係る薬液容器用栓体を薬液容器に嵌合させ、外側からキャップを取り付けた状態を示す断面図である。
【発明を実施するための形態】
【００２１】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２２】
図１の（ａ）は、本実施形態に係る薬液容器用栓体の一実施形態を示す側面図であり、（ｂ）は、その下面図である。
図１の（ａ）及び（ｂ）に示すように、本実施形態に係る薬液容器用栓体１０は、平板状の基部１と、該基部１の中央に設けられた円筒状の嵌合部２と、からなる。
【００２３】
基部１及び嵌合部２は、一体となっており、熱可塑性エラストマーからなっている。すなわち、薬液容器用栓体１０は、熱可塑性エラストマーを用いて製造される。
薬液容器用栓体１０は、基部１及び嵌合部２をイソプレンゴム系ではなく、熱可塑性エラストマーからなるものとすることにより、耐薬品性が向上し、また、薬液の付着により経時的に硬化することを防止できる。
【００２４】
かかる熱可塑性エラストマーとしては、例えば、スチレン系エラストマー、オレフイン系エラストマー、ポリエステル系エラストマー、ポリアミド系エラストマー、ポリウレタン系エラストマー、ポリ塩化ビニール系エラストマー等が挙げられる。これらは単独で用いても、複数を混合して用いてもよい。
これらの中でも、耐薬品性及び密封性の観点から、スチレン系エラストマーであることが好ましく、水添ＳＢＳブロックコポリマーであることが更に好ましい。
【００２５】
また、スチレン系エラストマーの中でも、融点が１３５〜２００℃のものが好ましい。融点が１３５℃未満であると、融点が上記範囲内にある場合と比較して、耐熱性が劣るので、オートクレープ等による滅菌処理が困難となる場合がある。また、融点が２００℃を超えると、融点が上記範囲内にある場合と比較して、成形性が著しく低下し所望の栓体形状に成形することが困難となる欠点がある。
【００２６】
薬液容器用栓体１０は、ＪＩＳ  Ｋ７２１０の規格に準拠した２３０℃、４９Ｎにおけるメルトフローレート（ＭＦＲ）が０．１〜１２ｇ／１０ｍｉｎであることが好ましい。ＭＦＲが０．１ｇ／１０ｍｉｎ未満であると、ＭＦＲが上記範囲内にある場合と比較して、流動性が悪く成形性が低下する傾向がある。また、ＭＦＲが１２ｇ／１０ｍｉｎを超えると、ＭＦＲが上記範囲内にある場合と比較して、オートクレープ等による滅菌処理時に変形又は融着してしまう恐れがある。
【００２７】
薬液容器用栓体１０は、ＪＩＳ  Ｋ７１１２の規格に準拠した水中置換法における密度が０．８１〜０．９０ｇ／ｃｍ３であることが好ましい。密度が０．８１ｇ／ｃｍ３未満であると、密度が上記範囲内にある場合と比較して、薬液容器用栓体１０が軟質となり過ぎ、液漏れの原因となると共に耐熱性も低下する傾向がある。また、密度が０．９０ｇ／ｃｍ３を超えると、密度が上記範囲内にある場合と比較して、薬液容器用栓体１０自体が硬くなり注射針を刺し難くなると共に使用に伴う耐久性が低下する欠点がある。
【００２８】
薬液容器用栓体１０は、ＪＩＳ  Ｋ６２５３の規格に準拠したデュロ硬度Ａが３５〜８０であることが好ましい。デュロ硬度Ａが３５未満であると、デュロ硬度Ａが上記範囲内にある場合と比較して、密封性が低下する傾向があり、デュロ硬度Ａが８０を超えると、デュロ硬度Ａが上記範囲内にある場合と比較して、例えば、後述する内側基部に注射針を刺し難くなる欠点がある。
【００２９】
薬液容器用栓体１０は、耐久性の観点から、ＪＩＳ  Ｋ６２５１の規格に準拠したＴ／Ｓ＝５００ｍｍ／ｍｉｎにおける引張破壊強さが６〜２５ＭＰａであることが好ましく、引張破壊伸びが３００〜１２００％、更には８２０〜１２００％であることがより更に好ましい。例えば、引張破壊強さ及び引張破壊伸びが上記範囲でない場合、繰り返し使用に耐えられず、薬液容器用栓体１０に切れ目又は破れが生じる恐れがある。
【００３０】
薬液容器用栓体１０は、ＪＩＳ  Ｋ６２６２の規格に準拠した２３℃における圧縮永久歪率が３０％以下であることが好ましく、１〜３０％であることがより好ましい。また、７０℃における圧縮永久歪率が５０％以下であることが好ましく、１〜５０％であることがより好ましい。２３℃における圧縮永久歪率が３０％を超えると、又は、７０℃における圧縮永久歪率が５０％を超えると、圧縮永久歪率が上記範囲内にある場合と比較して、復元力が不十分となり、場合によっては薬液容器を完全に密封できないことがある。
【００３１】
薬液容器用栓体１０は、薬液が収容された薬液容器を封止するために用いられる。
かかる薬液容器としては、特に限定されないが、環状ポリオレフィン、ポリプロピレン、ポリエチレン等のポリオレフィン樹脂、ポリエチレンナフタレート、ポリエチレンテレフタレート等のポリエステル樹脂からなるプラスチック容器、ガラス瓶等が挙げられる。
また、薬液容器用栓体１０は、例えば、バイアル瓶の栓として好適に用いられる。
【００３２】
図２は、本実施形態に係る薬液容器用栓体を薬液容器に嵌合させた状態を示す断面図である。
図２に示すように、薬液容器用栓体１０は、嵌合部２を薬液容器３の口部３ａに嵌合される。
ここで、薬液容器用栓体１０においては、嵌合部２との接続部分よりも内側に位置する基部（以下便宜的に「内側基部」という。）１ａの厚みＨ１が、嵌合部２との接続部分よりも外側に位置する基部（以下便宜的に「外側基部」という。）１ｂの厚みＨ２よりも小さくなっている。なお、内側基部１ａの厚みＨ１は１．０〜５．０ｍｍであることが好ましく、外側基部１ｂの厚みは１．５〜６．０ｍｍであることが好ましい。
【００３３】
このため、薬液容器用栓体１０においては、外側基部１ｂが十分に厚いので、熱等により変形することを抑制できる。
また、内側基部１ａの厚みが薄い薄肉なので、注射針等を刺して貫通させることができる。すなわち、注射針を取り付けたシリンジの注射針を内側基部１ａに突き刺し、薬液容器３内の薬液をシリンジで吸い上げることにより、薬液容器３を密封させたまま、薬液容器３内の薬液を取り出すことができる。なお、内側基部１ａの厚みは、注射針の突き刺しの容易性及び注射針を引き抜いた後の液漏れ防止の観点から適宜設定することができ、例えば、内側基部１ａの厚みＨ１が１．０ｍｍ未満であると突き刺しは容易であるが注射針を引き抜いた後の液漏れが発生する恐れがある。また、内側基部１ａの厚みＨ１が５．０ｍｍを超えると液漏れの発生を防止することが容易となるが、注射針の突き刺しが困難となる。
【００３４】
本実施形態に係る薬液容器用栓体においては、嵌合部２が薬液容器３の口部３ａに嵌合されると同時に、基部１（外側基部１ｂ）が口部３ａを上方から覆うことにより、薬液容器３を確実に封止することができる。
したがって、上記薬液容器用栓体１０は、耐薬品性及び密封性に優れるものとなっている。
【００３５】
薬液容器用栓体１０は、射出成形により、基部１及び嵌合部２が一体となって製造される。このため、簡単に大量生産が可能となるので、低コスト化が図れる。また、リサイクルも可能である。
【００３６】
以上、本発明の好適な実施形態について説明したが、本発明は上記実施形態に限定されるものではない。
【００３７】
例えば、図２に示す薬液容器用栓体１０を薬液容器３に嵌合させた後、薬液容器３及び薬液容器用栓体１０の外側からキャップを取り付けてもよい。
図３は、本実施形態に係る薬液容器用栓体を薬液容器に嵌合させ、外側からキャップを取り付けた状態を示す断面図である。
図３に示すように、キャップ５は、薬液容器用栓体１０の基部１と薬液容器３の口部３ａを外側から覆うように取り付けられる。
キャップ５を取り付けることにより、薬液容器３の密封性がより向上する。なお、キャップ５においては、中央に穴５ａが設けられていることが好ましい。これにより、上述した薬液容器３を密封したまま薬液を取り出す場合、内側基部１ａに注射針を刺すことを妨げない。
【００３８】
キャップ５の材質としては、特に限定されないが、アルミニウムや樹脂が挙げられる。なお、アルミニウムの場合、カシメ固定することが好適であり、樹脂の場合、螺合又は係合させて固定することが好適である。
【００３９】
また、これらの他、本実施形態に係る薬液容器用栓体１０には、滅菌加工等が施されていてもよい。
【実施例】
【００４０】
以下、実施例及び比較例に基づいて本発明をより具体的に説明するが、本発明は以下の実施例に限定されるものではない。
【００４１】
（実施例１）
メルトフローレート（ＭＦＲ）が１５ｇ／１０ｍｉｎ、デュロ硬度Ａが３４、引張破壊伸びが８００％の水添ＳＢＳブロックコポリマーを射出成形し、図１に示す形状の薬液容器用栓体を得た。
【００４２】
（実施例２）
メルトフローレート（ＭＦＲ）が３ｇ／１０ｍｉｎ、デュロ硬度Ａが４８、引張破壊伸びが９００％の水添ＳＢＳブロックコポリマーを射出成形し、図１に示す形状の薬液容器用栓体を得た。
【００４３】
（比較例１）
ブチルゴムを用い、図１に示す形状の薬液容器用栓体を得た。
【００４４】
（比較例２）
イソプレンゴムを用い、図１に示す形状の薬液容器用栓体を得た。
【００４５】
（評価方法）
１．物性
実施例１，２及び比較例１，２で薬液容器用栓体に対し、ＪＩＳ  Ｋ７２１０の規格に準拠して２３０℃、４９Ｎの条件下におけるメルトフローレート（ＭＦＲ）、ＪＩＳ  Ｋ７１１２の規格に準拠した水中置換法における密度、ＪＩＳ  Ｋ６２５３の規格に準拠したデュロ硬度Ａ、ＪＩＳ  Ｋ６２５１の規格に準拠したＴ／Ｓ＝５００ｍｍ／ｍｉｎの条件下における引張破壊強さ、ＪＩＳ  Ｋ６２５１の規格に準拠したＴ／Ｓ＝５００ｍｍ／ｍｉｎの条件下における引張破壊伸び、ＪＩＳ  Ｋ６２６２の規格に準拠した２３℃、２２時間の条件下における圧縮永久歪率、及び、ＪＩＳ  Ｋ６２６２の規格に準拠した７０℃、２２時間の条件下における圧縮永久歪率を測定した。
得られた結果を表１に示す。なお、表１中、「−」は測定していないことを意味する。
【００４６】
〔表１〕
2012065830.tif 000003
【００４７】
２．溶出性試験
実施例１，２及び比較例１，２で得られた薬液容器用栓体に対し、溶出性（耐薬品性）を評価した。まず、それぞれの薬液容器用栓体を水で洗った後に乾燥させ、薬液容器用栓体の質量の１０倍量の水と共に硬質ガラス容器に入れた。そして、密封状態で高圧蒸気滅菌器を用いて１２１℃で１時間加熱した後、室温になるまで放置し、得られた溶出液を、日本薬局方輸液用ゴム栓試験法に準拠して適性を確認した。
評価基準は、輸液用ゴム栓規格に適合するものを「○」とし、輸液用ゴム栓規格に一部適合するものを「△」とし、完全に輸液用ゴム栓規格を外れるものを「×」とした。得られた結果を表２に示す。
【００４８】
３．微粒子性試験
実施例１，２及び比較例１，２で得られた薬液容器用栓体に対し、微粒子性（耐薬品性）を評価した。まず、それぞれの薬液容器用栓体を水で洗った後に乾燥させ、それを４等分にカットし、そのうちの３片を、３１５ｍｌの純水とともに容器に入れた。そして、水に溶け出した微粒子の個数を測定した。
評価基準は、微粒子の個数が基準値以下ものを「○」とし、微粒子の個数が略基準値のものを「△」とし、微粒子の個数が基準値以上のものを「×」とした。得られた結果を表２に示す。
【００４９】
４．成形性試験
実施例１，２及び比較例１，２で得られた薬液容器用栓体に対し、成形性を評価した。
評価基準は、射出成形が可能なものを「○」とし、射出成形できないものを「×」とした。得られた結果を表２に示す。
【００５０】
５．滅菌適正
実施例１，２及び比較例１，２で得られた薬液容器用栓体に対し、滅菌適正を評価した。まず、それぞれの薬液容器用栓体を、オートクレープにより１２１℃で３０分加熱した。そして、薬液容器用栓体の状態を黙視にて確認した。
評価基準は、薬液容器用栓体に変形又は融着のないものを「○」とし、薬液容器用栓体に変形又は融着がわずかに認められるものを「△」とし、薬液容器用栓体に変形又は融着があるものを「×」とした。得られた結果を表２に示す。
【００５１】
〔表２〕
2012065830.tif 000004
【００５２】
これらの評価より、実施例１，２で得られた薬液容器用栓体は、溶出性及び微粒子性、すなわち、耐薬品性が優れることがわかった。また、射出成形（成形性）が可能であることから、大量生産が可能であることがわかった。一方、本発明によらない比較例１，２で得られた薬液容器用栓体は、射出成形できず、耐薬品性も不十分であった。なお、実施例１の薬液容器用栓体においては、複数の薬液容器用栓体を重ね合わせた状態でオートクレープにより滅菌した場合、わずかに変形又は融着が認められた。
【産業上の利用可能性】
【００５３】
本発明に係る薬液容器用栓体は、バイアル瓶のように薬液を容れる瓶の栓として好適に用いられる。また、この薬液容器用栓体は、耐薬品性及び密封性に優れるので特に長期間の使用に好適である。
【符号の説明】
【００５４】
１・・・基部
１ａ・・・内側基部
１ｂ・・・外側基部
２・・・嵌合部
３・・・薬液容器
３ａ・・・口部
５・・・キャップ
１０・・・薬液容器用栓体
Ｈ１，Ｈ２・・・厚み
【図１】
2012065830.tif 000005
【図２】
2012065830.tif 000006
【図３】
2012065830.tif 000007